(57)【要約】      （修正有）【課題】使い勝手がよく、デザイン性に優れた安全性の高い組込式調理器を提供する。【解決手段】焙焼器１５の扉部１６の後方に設けて本体１１の設置後における流し台１２と本体側方の隙間を覆う焙焼器側カバー１８と、扉部１６の内面と接触し扉開閉に応じて可動する可動体２０とを備えたものである。これによって、焙焼器１５の扉部１６を使用者が開閉中に焙焼器側カバー１８に接触して落下させてしまうこともなく、また扉部１６が流し台１２の近傍までくる構成とするため、焙焼器側カバー１８と本体１１に発生するライン（細い隙間）が扉部１６で隠され、デザイン的に優れ、使用者が焙焼器１５の扉部１６を確実に閉めなかった場合でも、隙間からの熱風による流し台側壁へのダメージは、可動体２０が隙間を埋めてガードするため未然に防止することができるものである。【選択図】図２
2006308113.tif 000002
【特許請求の範囲】
【請求項１】
外郭を構成する本体と、前記本体の上面を覆うとともに前記本体を流し台の上面開口部から挿入設置したときに本体を支えるトップユニット部と、前記本体正面に設けられた焙焼器の扉部の後方に設けて本体の設置後における流し台と本体側方の隙間を覆う焙焼器側カバーと、前記扉部の内面と接触し扉開閉に応じて可動する可動体とを備えた組込式調理器。
【請求項２】
可動体は焙焼器側カバーの一端に軸支され、可動体に設けられた弾性片にて可動する請求項１に記載の組込式調理器。
【請求項３】
可動体は焙焼器側カバーの一端に軸支され、前記可動体と焙焼器側カバーの間にコイルバネを介して可動する請求項１に記載の組込式調理器。
【請求項４】
可動体は焙焼器側カバーの一端に軸支され、前記可動体と焙焼器側カバーの間に板バネを介して可動する請求項１に記載の組込式調理器。
【請求項５】
可動体の先端に弾性体を具備した請求項１〜４のいずれか１項に記載の組込式調理器。
【請求項６】
可動体は弾性力を有する発泡体で構成した請求項１に記載の組込式調理器。
【請求項７】
可動体は扉部の移動方向に対して略同方向に可動する構成とした請求項１に記載の組込式調理器。
【請求項８】
可動体と焙焼器側カバーとの当接部に緩衝部材を設けた請求項１〜５のいずれか１項に記載の組込式調理器。
【請求項９】
可動体の表面に非粘着性のコーティングを施した請求項１〜５、７、８のいずれか１項に記載の組込式調理器。
【請求項１０】
可動体は金属で形成した請求項１〜５、７、８、９のいずれか１項に記載の組込式調理器。
【発明の詳細な説明】
【技術分野】
【０００１】
本発明は、一般家庭のキッチンなどで使用する組込式調理器に関するものである。
【背景技術】
【０００２】
一般に、組込式調理器を設置する流し台は、図１２に示すようになっている。すなわち、調理器を挿入する上面開口部１と、挿入後に本体正面部が位置する前面開口部２を有し、上面開口部幅Ａより前面開口部Ｂは広い（一般にＡ＝５６０ｍｍ、Ｂ＝６００ｍｍ）。したがって、調理器を設置後は、前面の左右に隙間（約２０ｍｍ）が発生し、これを覆う必要性が生じる。
【０００３】
従来、この種の組込式調理器は、設置後の本体側方と流し台との隙間を箱状のサイドカバーで左右とも覆う構成としている（例えば、特許文献１参照）。
【０００４】
図１０、図１１は、その従来の組込式調理器を示すものである。図に示すように、本体ケース３と、その上方を覆うトッププレート４と、本体正面部を構成する焙焼器５、およびその前面を構成する扉部６と、スイッチつまみなどを有する操作部７と、流し台などに設置された際に、本体側方と流し台の隙間を覆い隠すための右サイドカバー８と、同じく左サイドカバー９から構成されている。
【特許文献１】特開２００３−２０８９７０号公報
【発明の開示】
【発明が解決しようとする課題】
【０００５】
しかしながら、前記従来の構成では、本体側方と流し台の隙間を覆い隠すために、設置後に必ず左右に箱状のサイドカバー８、９が存在し、垂直方向に必ずライン（細い隙間）が発生し、デザイン的に自由度が極めて制限される上に、左サイドカバー９は焙焼器５の扉部６のごく近傍に存在し、扉部６の開閉時や使用者に接触して落下してしまうという可能性があった。
【０００６】
本発明は、前記従来の課題を解決するもので、デザイン性にすぐれ品位の向上を図るとともに、使用者が誤って本体側方と流し台の隙間を覆い隠す部材に接触しても落下してしまうこともなく、また誤って使用者が焙焼器の扉部を確実に閉めなかった場合においても、安全で快適な組込式調理器を提供することを目的とする。
【課題を解決するための手段】
【０００７】
前記従来の課題を解決するために、本発明の組込式調理器は、外郭を構成する本体と、前記本体の上面を覆うとともに前記本体を流し台の上面開口部から挿入設置したときに本体を支えるトップユニット部と、前記本体正面に設けられた焙焼器の扉部の後方に設けて本体の設置後における流し台と本体側方の隙間を覆う焙焼器側カバーと、前記扉部の内面と接触し扉開閉に応じて可動する可動体とを備えたものである。
【０００８】
これによって、焙焼器の扉部を使用者が操作（開閉）中に本体側方と流し台の隙間を覆う焙焼器側カバーに接触して落下させてしまうこともなく、また扉部が流し台の近傍までくる構成とするため、焙焼器側カバーと本体に発生するライン（細い隙間）が扉部で隠され、デザイン的に優れた機器を提供できる上に、使用者が焙焼器の扉部を確実に閉めなかった場合においても、発生した隙間からの熱風による流し台側壁へのダメージは、可動体が隙間を埋めてガードするため未然に防止することができるものである。
【発明の効果】
【０００９】
本発明の組込式調理器は、デザイン性にすぐれ品位の向上を図るとともに、使用者が誤って本体側方と流し台の隙間を覆い隠す部材に接触しても落下してしまうこともなく、また誤って使用者が焙焼器の扉部を確実に閉めなかった場合においても、安全で快適な組込式調理器が提供できる。
【発明を実施するための最良の形態】
【００１０】
第１の発明は、外郭を構成する本体と、前記本体の上面を覆うとともに前記本体を流し台の上面開口部から挿入設置したときに本体を支えるトップユニット部と、前記本体正面に設けられた焙焼器の扉部の後方に設けて本体の設置後における流し台と本体側方の隙間を覆う焙焼器側カバーと、前記扉部の内面と接触し扉開閉に応じて可動する可動体とを備えた組込式調理器とすることにより、焙焼器の扉部を使用者が操作（開閉）中に本体側方と流し台の隙間を覆う焙焼器側カバーに接触して落下させてしまうこともなく、また扉部が流し台の近傍までくる構成とするため、焙焼器側カバーと本体に発生するライン（細い隙間）が扉部で隠され、デザイン的に優れた機器を提供できる上に、使用者が焙焼器の扉を確実に閉めなかった場合においても、発生した隙間からの熱風による流し台側壁へのダメージは、可動体が隙間を埋めてガードするため未然に防止することができるものである。
【００１１】
第２の発明は、特に、第１の発明において、可動体は焙焼器側カバーの一端に軸支され、可動体に設けられた弾性片にて可動することにより、容易で安価に可動体の可動構成を得ることができるとともに、組み立て性も簡素化できるものである。
【００１２】
第３の発明は、特に、第１の発明において、可動体は焙焼器側カバーの一端に軸支され、前記可動体と焙焼器側カバーの間にコイルバネを介して可動することにより、スムーズな可動性と耐久的にも優れた可動構成を得ることができるものである。
【００１３】
第４の発明は、特に、第１の発明において、可動体は焙焼器側カバーの一端に軸支され、前記可動体と焙焼器側カバーの間に板バネを介して可動することにより、バネのセット性を向上させ、組み立て性を向上させることができるものである。
【００１４】
第５の発明は、特に、第１〜第４のいずれか１つの発明において、可動体の先端に弾性体を具備したことにより、扉と可動体の接触部のわずかな隙間さえ埋めることができ、熱風からの防御性がさらに向上するものである。
【００１５】
第６の発明は、特に、第１の発明において、可動体は弾性力を有する発泡体で構成したことにより、さらに容易な構成で熱風防御ができるとともに、可動体への不意の応力などによる破壊の危険性も回避できるものである。
【００１６】
第７の発明は、特に、第１の発明において、可動体は扉部の移動方向に対して略同方向に可動する構成としたことにより、扉部の隙間が大きく開いてしまう場合においても任意の設定が容易に可能になるものである。
【００１７】
第８の発明は、特に、第１〜第５のいずれか１つの発明において、可動体と焙焼器側カバーとの当接部に緩衝部材を設けたことにより、扉部の開閉時に生じる焙焼器側カバーと可動体の接触音を緩和し、快適性の向上を図ることができるものである。
【００１８】
第９の発明は、特に、第１〜第５、７、８のいずれか１つの発明において、可動体の表面に非粘着性のコーティングを施したことにより、使用中に可動体に付着した油煙などによる汚れを簡単に除去することができるものである。
【００１９】
第１０の発明は、特に、第１〜第５、７、８、９のいずれか１つの発明において、可動体は金属で形成したことにより、熱風による変形を防止することができるものである。
【００２０】
以下、本発明の実施の形態について、図面を参照しながら説明する。なお、この実施の形態によって本発明が限定されるものではない。
【００２１】
（実施の形態１）
図１〜図４は、本発明の実施の形態１における組込式調理器を示すものである。
【００２２】
図に示すように、外郭を構成する誘導加熱調理器の本体１１は、背景技術で説明したと同様、流し台１２の上面開口部（図示せず）から挿入設置されている。本体１１は、外郭ケース１３、本体１１の上面を覆うとともに本体１１を流し台の上面開口部から挿入設置したときに本体１１を支えるトップユニット部１４、内部には加熱調理を行うための加熱コイルや制御回路を有している。本体１１の正面部には、左側に魚を焼くための焙焼器（ロースター）１５、その前面を覆う扉部１６、右側に操作部１７を有している。そして、本体１１の設置後における焙焼器１５側の流し台１２と本体１側方の隙間を覆う焙焼器側カバー１８を扉部１６の後方に設けている。なお、扉部１６は流し台１２の近傍までくる構成としており、焙焼器側カバー１８と本体１１に発生するライン（細い隙間）を扉部１６で隠している。また、焙焼器側カバー１８は、外郭ケース１３の側方に差し込みなどの方法により取り付けられているものである。
【００２３】
焙焼器側カバー１８には、一端を軸１９にて軸支された可動体２０が可動自在に設けられており、図３のように、扉部１６の開閉に応じて可動し、ある程度までは遊端が扉部１６の内面に接触するようになっている。扉部１６は、その内面に、閉扉時に本体１１（焙焼器１５）と当接して焙焼器１５内部からの煙や熱風を防止するためのパッキン２１が具備されている。
【００２４】
以上のように構成された組込式調理器について、以下その動作、作用を説明する。
【００２５】
まず、本体１１を流し台１２の上面開口部から挿入設置すると、外郭ケース１３は上面開口部幅より小さく形成されているため、正面には流し台１２との間に左右とも約２０ｍｍの隙間が発生する。しかし、左側では焙焼器側カバー１８を外郭ケース１３の側方に設けているので隙間が隠されるとともに、右側では操作部１７全体で隙間を覆い隠すようにしている。
【００２６】
以上のように、本実施の形態においては、扉部１６を使用者が操作（開閉）中に外郭ケース１３と流し台１２の隙間を覆い隠すための部材（焙焼器側カバー１８）に接触して落下させてしまうこともなく、また扉部１６が流し台１２の側面の近傍までくる構成としているため、焙焼器側カバー１８と外郭ケース１３に発生するライン（細い隙間）が扉部１６で隠され、デザイン的に優れた機器を提供できるものである。また、使用者が誤って扉部１６を完全に閉めなかった場合（図３）においても、発生した隙間からの熱風Ｎを可動体２０がガードすることとなるので、流し台１２の側壁２２は変形・変色などのダメージから防御されることとなり、安全性の向上を図ることができるものである。
【００２７】
なお、可動体２０を可動させる手段としては、可動体２０に設けられた弾性片にて可動することにより、容易で安価に可動体の可動構成を得ることができるとともに、組み立て性も簡素化できる。また、図４に示すように、可動体２０と焙焼器側カバー１８の間にコイルバネ２３を介して可動することにより、スムーズな可動性と耐久的にも優れた可動構成を得ることができる。また、図５に示すように、可動体２０と焙焼器側カバー１８の間に板バネ２４を介して可動することにより、バネのセット性を向上させ、組み立て性を向上させることができる。したがって、可動体２０を可動させる手段としては、特に、その構成が限定されるものではない。
【００２８】
（実施の形態２）
図６は、本発明の実施の形態２における組込式調理器の焙焼器側カバーと可動体とを示すものである。実施の形態１と基本構成は同じであるので、相違点を中心に説明する。
【００２９】
本実施の形態では、可動体２０の先端で扉部１６の内面に接触する箇所に弾性体２５を具備したものである。弾性体２５の材料としては、耐熱性材料であれば、特に限定されるものではない。
【００３０】
以上のように、本実施の形態においては、閉扉時はもちろんのこと、使用者が誤って扉部１６を完全に閉めなかった場合においても、弾性体２５が扉部１６の内面に接触することにより、扉部１６と可動体２０のわずかな隙間さえ埋めることができ、熱風からの防御性がさらに向上するものである。
【００３１】
（実施の形態３）
図７は、本発明の実施の形態３における組込式調理器の焙焼器側カバーを示すものである。実施の形態１と基本構成は同じであるので、相違点を中心に説明する。
【００３２】
本実施の形態では、可動体２０は弾性力を有する発泡体で構成したものである。この可動体２０を構成する発泡体は、それ自体の弾性力で可動（伸縮）するものである。
【００３３】
以上のように、本実施の形態においては、可動体２０として発泡体を用いることにより、さらに容易な構成で熱風防御ができるとともに、可動体への不意の応力などによる破壊の危険性も回避できるものである。
【００３４】
（実施の形態４）
図８は、本発明の実施の形態４における組込式調理器の要部構成を示すものである。実施の形態１と基本構成は同じであるので、相違点を中心に説明する。
【００３５】
本実施の形態では、可動体２６は外郭ケース１３に設けられたスプリング２７によって扉部１６の移動と略同方向の矢印Ｍ方向に可動するものである。この可動体２６は、焙焼器側カバー１８とは別体構成としているが、焙焼器側カバー１８と関連づけて可動するようにしてもよい。
【００３６】
以上のように、本実施の形態においては、可動体２６を扉部１６の移動方向に対して略同方向に可動する構成としたことにより、扉部１６の隙間が大きく開いてしまう場合においても任意の設定（延長設計）が容易に可能になるものである。
【００３７】
（実施の形態５）
図９は、本発明の実施の形態５における組込式調理器の焙焼器側カバーと可動体とを示すものである。実施の形態１と基本構成は同じであるので、相違点を中心に説明する。
【００３８】
本実施の形態では、可動体２０と焙焼器側カバー１８との当接部に緩衝部材２８を設けたものである。緩衝部材２８は可動体２０と焙焼器側カバー１８との当接部の少なくとも一方側に設ければよい。
【００３９】
以上のように、本実施の形態においては、緩衝部材２８を設けることにより、扉部１６の開閉時に生じる焙焼器側カバー１８と可動体２０の接触音を緩和し、快適性の向上を図ることができるものである。
【００４０】
なお、実施の形態１、２、４において、可動体２０の表面に非粘着性のコーティングを施すことにより、使用中に可動体２０に付着した油煙などによる汚れを簡単に除去することができる。また、実施の形態１、２、４、５において、可動体２０、２６を金属で形成することにより、熱風による変形を防止できるという効果も奏することができる。
【産業上の利用可能性】
【００４１】
以上のように、本発明にかかる組込式調理器は、デザイン性にすぐれ品位の向上を図るとともに、使用者が誤って本体側方と流し台の隙間を覆い隠す部材に接触しても落下してしまうこともなく、また誤って使用者が焙焼器の扉部を確実に閉めなかった場合においても、安全で快適なものであるので、家庭用、業務用に限らず組み込み型のあらゆる熱源の調理器に適用できるものである。
【図面の簡単な説明】
【００４２】
【図１】本発明の実施の形態１における組込式調理器の斜視図
【図２】図１のＸ−Ｘ線における要部断面図
【図３】同組込式調理器の動作時の要部断面図
【図４】同組込式調理器の焙焼器側カバーと可動体との一例を示す斜視図
【図５】同組込式調理器の焙焼器側カバーと可動体との他例を示す断面図
【図６】本発明の実施の形態２における組込式調理器の焙焼器側カバーと可動体とを示す断面図
【図７】本発明の実施の形態３における組込式調理器の焙焼器側カバーと可動体とを示す斜視図
【図８】本発明の実施の形態４における組込式調理器の要部断面図
【図９】本発明の実施の形態５における組込式調理器の焙焼器側カバーと可動体とを示す断面図
【図１０】従来例を示す加熱調理器の斜視図
【図１１】同加熱調理器のサイドカバーを示す斜視図
【図１２】一般的な流し台の形態を示す斜視図
【符号の説明】
【００４３】
１１  本体
１２  流し台
１３  外郭ケース
１４  トップユニット部
１５  焙焼器
１６  扉部
１７  操作部
１８  焙焼器側カバー
１９  軸
２０、２６  可動体
２１  パッキン
２３  コイルバネ
２４  板バネ
２５  弾性体
２７  スプリング
２８  緩衝部材
【図１】
2006308113.tif 000003
【図２】
2006308113.tif 000004
【図３】
2006308113.tif 000005
【図４】
2006308113.tif 000006
【図５】
2006308113.tif 000007
【図６】
2006308113.tif 000008
【図７】
2006308113.tif 000009
【図８】
2006308113.tif 000010
【図９】
2006308113.tif 000011
【図１０】
2006308113.tif 000012
【図１１】
2006308113.tif 000013
【図１２】
2006308113.tif 000014